(57)【特許請求の範囲】
【請求項１】
開口部を有し最外層がポリエチレンで最内層がポリエステル樹脂よりなる紙製容器に対し、表窓材が紙製容器の開口部周縁表面に疑似接着され、裏窓材が紙製容器の開口部周縁裏面に接着され、かつ表裏の窓材が接着されてなるピール式口栓を設けた紙製容器であって、裏窓材の少なくとも最外層がポリエステル樹脂からなり、表窓材の少なくとも最内層がポリエステル樹脂及び変性ポリエチレンを含有するポリマーアロイであるピール式口栓を設けた紙製容器。
【発明の詳細な説明】
【０００１】
【発明の分野】
本発明はピール式の口栓を設けた、内容物に対して低吸着性の紙製容器に関する。本発明の紙製容器の最内面は低吸着性のポリエチレンテレフタレートで被覆されており、ピール式口栓部分は開口部を確実にシールする。
【０００２】
【従来の技術】
従来より日本酒やジュース、牛乳、乳酸飲料などの各種液体飲料には、紙製の容器に充填して市販されているものがある。図１はピール式の口栓を設けた従来の紙製容器の斜視図であり、図２は図１の口栓部２を示す概略断面図である。図２に示すように、このような容器１において口栓部２では、厚紙１２の表裏が外面層１３および内面層１４により被覆された紙製の容器本体１０に設けた開口部１１の外側及び内側から、容器本体１０を挟むように表窓材２０及び裏窓材３０がヒートシールにより貼り合わされている。
【０００３】
容器本体１０の外面層１３としては、通常、印刷特性を確保するためポリエチレン(ＬＤＰＥ)が用いられ、内面層１４も同様にポリエチレンで被覆されている。また、裏窓材３０としてはポリエチレンフィルムが、また表窓材２０としてはアルミニウム箔からなる中間層２１の内面側の裏面層２３にポリエチレンフィルムを、外面側の表面層２２に二軸延伸ポリエチレンテレフタレート(ＰＥＴ)フィルムを設けたラミネートシールが通常用いられている。
【０００４】
このような図２の従来のピール式口栓では、表窓材２０が容器本体１０外面の剥離ニスを塗布した外面層１３に疑似接着し、また裏窓材３０が容器本体１０の内面層１４に融着すると共に、前記表窓材２０のポリエチレンからなる裏面層２３と裏窓材３０(ポリエチレン)とが熱融着して高いシール性が確保される。
【０００５】
【発明の目的および開示】
しかしながら、近年、食品、飲料の品質に対する要求が厳しくなるにしたがい、紙製の容器本体内面をより吸着性が低く、保香性の高いポリエステル樹脂で覆ったものが検討されている。このような紙製容器の口栓部にあっては、前記従来の材質の裏窓材及び表窓材を用いて口栓部を完全に密封することはできない。
【０００６】
本発明は内容物に対する吸着性が低く、保香性の高いポリエステル樹脂を内面層として用いた紙製容器のピール式口栓部を提供せんとするものである。従来のピール式口栓付き紙製容器では、容器本体の内面層がポリエチレンであって内容物に対する吸着性が高く、低分子量のポリエチレン成分が内容物に溶出してポリエチレン臭が内容物に移行するという問題がある。
【０００７】
本発明は、開口部を有し最外層がポリエチレンで最内層がポリエステル樹脂よりなる紙製容器に対し、表窓材が紙製容器の開口部周縁表面に疑似接着され、裏窓材が紙製容器の開口部周縁裏面に接着され、かつ表裏の窓材が接着されてなるピール式口栓を設けた紙製容器であって、裏窓材の少なくとも最外層がポリエステル樹脂からなり、表窓材の少なくとも最内層がポリエステル樹脂及び変性ポリエチレンを含有するポリマーアロイであるピール式口栓を設けた紙製容器を提供するものである。
【０００８】
本発明の紙製容器は、容器本体の内側のシーラントである内面層に内容物の保香性に優れ吸着性の低い(ホモ)ポリエステル樹脂が用いられる。このため裏窓材の少なくとも最外層（容器本体の内面層と接する部分）には容器本体と接着可能なようポリエステル樹脂を用いる一方、表窓材の少なくとも最内面（容器本体の外面層と接する部分）には前記裏窓材と接着し且つ容器本体の表面層と疑似接着が可能なようにＰＥＴとポリエチレンとのポリマーアロイを用いる。
【０００９】
【好ましい具体例】
つぎに本発明を具体例に基づき図面を参照しながらさらに詳細に説明する。図３は本発明の紙製容器の展開図、図４はその口栓部を示す概略断面図である。図３に示すごとく、本発明において容器本体１０の展開図は公知の形態の直方体紙製容器の展開図と同様である。図４に示すように容器本体１０は、芯材である厚紙１２の外面側にポリエチレンからなる外面層１３が、内面側にはポリエステル樹脂からなる内面層１４が積層され、これらを貫通し内容物の注出口となる開口部１１が設けられる。該開口部１１には、その外側及び内側から適宜の温度に設定したヒーターにより表窓材２０及び裏窓材３０が窓貼り固定される。この融着あるいは接着により表窓材２０は容器本体１０の外面層１３に疑似接着され、一方、裏窓材３０は容器本体１０の内面層１４に完全に接着される。なお、接着の手段としては通常融着（熱接着）が好ましい。
【００１０】
表窓材２０はアルミニウム箔からなる中間層２１を有し、その外面側には二軸延伸ポリエチレンテレフタレートフィルムからなる表面層２２が積層され、一方、容器本体１０の外面層１３と接する内面側の裏面層２３にはポリエステル樹脂と、アイオノマー樹脂など変性ポリエチレンとの混合物からなるポリマーアロイが積層される。なお、ポリマーアロイ中のポリエステル樹脂含有量は剥離性を考慮して設定する。このような裏面層２３に好適な市販のポリマーアロイとしては、例えばシーラーＰＴ(三井デュポンポリケミカル社製)などが挙げられる。
【００１１】
一方、裏窓材３０は容器本体１０の内面層１４に完全接着すると共に、前記表窓材２０の裏面層２３と完全接着する。かかる裏窓材３０としては非晶質のポリエステル樹脂であって約１５０℃以下でヒートシールの可能なものが好ましい。前記表窓材、裏窓材に用いられるポリエステル樹脂は、常法により酸成分とアルコール成分とを直接エステル化反応後、あるいはエステル交換反応後、縮重合反応を経て得ることができる。かかる酸成分としては、テレフタル酸、フタル酸、イソフタル酸、ナフタレンジカルボン酸等の芳香族カルボン酸、こはく酸、グルタル酸、アジピン酸、セバシン酸等の脂肪族カルボン酸が挙げられる。また、アルコール成分としては、エチレングリコール、１,２−プロパンジオール、１,３−プロパンジオール、１,４−ブタンジオール、１,５−ぺンタンジオール、１,６−ヘキサンジオール、ジエチレングリコール、ネオペンチルグリコール、ポリエチレングリコール、シクロヘキサンジメタノール等のジオール類が挙げられる。
【００１２】
なお、容器本体の層構成としては、前記の厚紙１２と内面層１４又は外面層１３との間にさらにポリエチレン、アルミニウム箔、延伸ＰＥＴ層など従来公知の容器と同様に、内容物や目的に応じて適宜の層を設けてもよい。さらに、外面層１３の上には従来と同様剥離ニスを設けて表窓材２０との間の疑似接着を実現してもよい。
【００１３】
【発明の効果】
本発明のピール式口栓を有する紙製容器は内容物に対する保香性が高く吸着性が低い。本発明容器の口栓は充分な強度を有し、液漏れがなく、内容物の保護、長期の保存に耐える。
【図面の簡単な説明】
【図１】従来の容器を示す斜視図である。
【図２】図１の口栓部を示す概略断面図である。
【図３】本発明容器の一具体例の展開図である。
【図４】本発明容器の口栓部分の概略断面図である。
【符号の説明】
１  容器本体
２  口栓部
１０  容器本体
１１  開口部
１２  厚紙
１３  外面層
１４  内面層
２０  表窓材
２１  中間層
２２  表面層
２３  裏面層
３０  裏窓材
【図１】
0003707112.tif 000002
【図２】
0003707112.tif 000003
【図３】
0003707112.tif 000004
【図４】
0003707112.tif 000005